(57)【要約】  鉄骨梁のウェブに形成された貫通孔部に対する鉄骨梁の耐火被覆工法であって、一面に金網または金属板を備えた、シート状またはブランケット状の耐火材を平板状態で建築現場に搬入し、前記耐火材を円筒状にして貫通スリーブ材を形成し、前記貫通スリーブ材を貫通孔部に貫通させる。
2015060389.tif 000002
【特許請求の範囲】
【請求項１】
鉄骨梁のウェブに形成された貫通孔部に対する鉄骨梁の耐火被覆工法であって、
一面に金網または金属板を備えたシート状またはブランケット状の耐火材を平板状態で建築現場に搬入し、前記耐火材を円筒状にして貫通スリーブ材を形成し、前記貫通スリーブ材を貫通孔部に貫通させることを特徴とした鉄骨梁の耐火被覆工法。
【請求項２】
前記耐火材の一面には金属板を備え、前記金属板には、円筒状にして貫通スリーブ材を形成するために金属板どうしを結束する結束機構を備えたことを特徴とした請求項１記載の鉄骨梁の耐火被覆工法。
【請求項３】
耐火材の一面には金網を備え、前記金網には、円筒状にして貫通スリーブ材を形成するために金網どうしを結束する結束部材または結束機構を備えたことを特徴とした請求項１記載の鉄骨梁の耐火被覆工法。
【請求項４】
請求項１ないし３のいずれかに記載の鉄骨梁の耐火被覆工法によって施工された鉄骨梁の耐火被覆構造。
【発明の詳細な説明】
【技術分野】
【０００１】
本願発明は、鉄骨梁のウェブに形成された貫通孔部に対する耐火被覆技術に関するものである。
【背景技術】
【０００２】
鉄骨構造建築物は火災時における建築物の倒壊を防ぐために、主要構造物である柱や支柱、あるいは管柱体等に耐火被覆を施し、建築基準法に定められている耐火時間の性能を確保しなければならない（特許文献１［従来の技術］より）。【０００３】
そして、鉄骨梁のウェブに形成された貫通孔部に対する鉄骨梁の耐火被覆工法としては、大きく分けて次の２通りのものがある。
１つは、図１Ａ、図１Ｂ、図１Ｃ、図１Ｄに示すように、円形状になっている鋼板（スパイラルダクト等）７０に、予めシート状またはブランケット状の耐火材７５を巻き付けて、鉄骨梁８０のウェブ８１に形成された貫通孔部８２に挿入する工法である。
もう１つは、図２Ａ、図２Ｂ、図２Ｃ、図２Ｄに示すように、鉄骨梁８０のウェブ８１を両側から挟み込むように、一対の耐火被覆材６０，６０で形成するものである。【０００４】
しかし、上記する従来の技術には、以下のような課題を有している。
（１）前者については、円形状になっている鋼板（スパイラルダクト等）７０に、予めシート状またはブランケット状の耐火材７５を巻き付けるために、運搬時のロスが高いという課題がある。
（２）後者については、鉄骨梁８０のウェブ８１が完全には被覆されない（図２Ｄの符号８５の部分）という課題がある。
【先行技術文献】
【特許文献】
【０００５】
【特許文献１】特開平１１−３０３２４４号公報
【発明の概要】
【発明が解決しようとする課題】
【０００６】
本願発明は、このような課題を解決するために、運搬に支障が無く、鉄骨梁のウェブも完全に被覆できる鉄骨梁のウェブに形成された貫通孔部に対する耐火被覆技術の提供を目的としたものである。
【課題を解決するための手段】
【０００７】
上記目的を達成するために、本発明は、鉄骨梁のウェブに形成された貫通孔部に対する鉄骨梁の耐火被覆工法であって、一面に金網または金属板を備えたシート状またはブランケット状の耐火材を平板状態で建築現場に搬入し、それを円筒状にして貫通スリーブ材を形成し、これを貫通孔部に貫通させる。
前記耐火材の一面には金属板を備え、前記金属板が、円筒状にして貫通スリーブ材を形成するために金属板どうしを結束する結束機構を備えるものとしてもよい。
前記耐火材の一面には金網を備え、前記金網が、円筒状にして貫通スリーブ材を形成するために金網どうしを結束する結束部材または結束機構を備えるものとしてもよい。
本発明は、上記の鉄骨梁の耐火被覆工法によって施工された鉄骨梁の耐火被覆構造を含む。【０００８】
貫通スリーブ材には、補強用としての「内部芯材」を備えていてもよいし、備えていなくてもよい。なお、内部芯材を備えると、例えば箱張りしたマキベエ（登録商標）などの耐火材に貫通スリーブ材用の貫通孔を形成する場合などに、補強になる他にマキベエ（登録商標）などの耐火材をカットしやすい。
【発明の効果】
【０００９】
（１）シート状またはブランケット状の耐火材が平板状態のまま、金網や金属板を設置し、施工現場で容易に曲げスリーブ状にすることができる工法になっている。
（２）このため、平板の状態で建築現場に運搬することができるために、運搬効率が著しく上がる。
（３）また、そのスリーブ状にした状態で鉄骨梁の貫通孔部に挿入するため鉄骨ウェブも被覆することができる。
（４）耐火材の一面に備えた金属板が、円筒状にして貫通スリーブ材を形成するために金属板どうしを結束する結束機構を備えることで、スリーブ状態が保持される特徴も持つ。
（５）同様に、耐火材の一面に備えた金網が、円筒状にして貫通スリーブ材を形成するために金網どうしを結束する結束部材または結束機構を備えることで、スリーブ状態が保持される特徴も持つ。
（６）耐火材の一面に金属板または金網を備えることで、外部からの衝撃に対してスリーブ状態を維持できる。
【図面の簡単な説明】
【００１０】
【図１Ａ】従来の技術を説明する説明図である。
【図１Ｂ】従来の技術を説明する説明図である。
【図１Ｃ】従来の技術を説明する説明図である。
【図１Ｄ】従来の技術を説明する説明図である。
【図２Ａ】従来の技術を説明する説明図である。
【図２Ｂ】従来の技術を説明する説明図である。
【図２Ｃ】従来の技術を説明する説明図である。
【図２Ｄ】従来の技術を説明する説明図である。
【図３Ａ】本願発明の一実施形態を示す説明図である。
【図３Ｂ】本願発明の一実施形態を示す説明図である。
【図３Ｃ】本願発明の一実施形態を示す説明図である。
【図３Ｄ】本願発明の一実施形態を示す説明図である。
【図４Ａ】本願発明の一実施形態を示す説明図である。
【図４Ｂ】本願発明の一実施形態を示す説明図である。
【図４Ｃ】本願発明の一実施形態を示す説明図である。
【図４Ｄ】本願発明の一実施形態を示す説明図である。
【図５Ａ】本願発明の一実施形態を示す説明図である。
【図５Ｂ】本願発明の一実施形態を示す説明図である。
【図５Ｃ】本願発明の一実施形態を示す説明図である。
【図５Ｄ】本願発明の一実施形態を示す説明図である。
【発明を実施するための形態】
【００１１】
図３Ａ、図３Ｂ、図３Ｃ、図３Ｄは、本願発明の一実施形態を示す説明図である。図示するように、鉄骨梁８０のウェブ８１に形成された貫通孔部８２へ、円筒状の鋼板等の内部芯材１９に耐火材１１を巻き付けた貫通スリーブ材１０を貫通させる。この時、貫通スリーブ材１０をスリーブ状にした状態で鉄骨梁８０の貫通孔部８２に挿入するためウェブ８１も完全に被覆することができる（図３Ｄ）。
【００１２】
図４Ａ、図４Ｂ、図４Ｃ、図４Ｄは、本願発明の一実施形態を示す説明図である。図３Ａで図示した貫通スリーブ材１０は、図４に図示するように、一面に金属板１２を備えたシート状またはブランケット状の耐火材１１を平板状態で建築現場に搬入し、円筒状になっている鋼板等の内部芯材１９に巻き付けて貫通スリーブ材１０ａを形成するのである。こうすることで、耐火材１１を平板の状態で建築現場に運搬することができるために、運搬効率が著しく上がる。
【００１３】
また、耐火材１１の一面に備えた金属板１２が、一方の端部に凸部１３と他方の端部に凹部１４からなる結束機構１５を備えることで、耐火材１１によるスリーブ状態を確実に保持するので、耐火材１１を平板状態で建築現場に搬入してもその場で容易に貫通スリーブ材１０ａを形成することができる。なお、金属板１２の結束機構は、図４に図示するものに限定されるものではない。
【００１４】
同様に、図５Ａ、図５Ｂ、図５Ｃ、図５Ｄは、本願発明の一実施形態を示す説明図である。図３Ａで図示した貫通スリーブ材１０は、図５Ａ、図５Ｂ、図５Ｃ、図５Ｄに図示するように、一面に金網１６を備えたシート状またはブランケット状の耐火材１１を平板状態で建築現場に搬入し、円形状になっている鋼板等の内部芯材１９に巻き付けて貫通スリーブ材１０ｂを形成するのである。こうすることで、耐火材１１を平板の状態で建築現場に運搬することができるために、運搬効率が著しく上がる。
【００１５】
また、耐火材１１の一面に備えた金網１６が、略Ｔ字形の結束部材１７を備えることで、耐火材１１によるスリーブ状態を確実に保持するので、耐火材１１を平板状態で建築現場に搬入してもその場で容易に貫通スリーブ材１０ｂを形成することができる。なお、金網１６の結束部材は、図５Ａ、図５Ｂ、図５Ｃ、図５Ｄに図示するものに限定されるものではなく、例えば、針金のようなもので、金網１６の端部どうしを結んでもよい。また、金網１６の両端部に結束機構を備えてもよい。
【００１６】
なお、貫通スリーブ材１０を構成する円筒状の耐火被覆材１１は、耐火・断熱性を有するロックウールを主材としたブランケット状の耐火被覆材が好ましいが、これに限られるものではない。
また、貫通スリーブ材１０を構成する内部芯材１９は、スパイラルダクトや折り曲げ鋼板が好ましいが、これに限られるものではない。
【産業上の利用可能性】
【００１７】
本願発明は、鉄骨梁の耐火被覆工法および鉄骨梁の耐火被覆構造として幅広く利用できるものである。
【符号の説明】
【００１８】
１０  貫通スリーブ材
１１  耐火材
１２  金属板
１３  凸部
１４  凹部
１５  結束機構
１６  金網
１７  結束部材
１９  内部芯材
８０  鉄骨梁
８１  ウェブ
８２  貫通孔部
【図１Ａ】
2015060389.tif 000003
【図１Ｂ】
2015060389.tif 000004
【図１Ｃ】
2015060389.tif 000005
【図１Ｄ】
2015060389.tif 000006
【図２Ａ】
2015060389.tif 000007
【図２Ｂ】
2015060389.tif 000008
【図２Ｃ】
2015060389.tif 000009
【図２Ｄ】
2015060389.tif 000010
【図３Ａ】
2015060389.tif 000011
【図３Ｂ】
2015060389.tif 000012
【図３Ｃ】
2015060389.tif 000013
【図３Ｄ】
2015060389.tif 000014
【図４Ａ】
2015060389.tif 000015
【図４Ｂ】
2015060389.tif 000016
【図４Ｃ】
2015060389.tif 000017
【図４Ｄ】
2015060389.tif 000018
【図５Ａ】
2015060389.tif 000019
【図５Ｂ】
2015060389.tif 000020
【図５Ｃ】
2015060389.tif 000021
【図５Ｄ】
2015060389.tif 000022
【国際調査報告】
2015060389.tif 000023
2015060389.tif 000024